(57)【要約】【課題】ケーブルの導出孔を有する筐体の防塵機能を、簡易な構成で実現する。【解決手段】シャーシ２に載置され、ケーブル８を挟持する第１のスリット４１を有する第１の弾性部４と、シャーシ２に設けられた形状であり、第１の弾性部４を支持するベース６と、スライドカバー３に設けられた形状であり、第１の弾性部４と対向するカウンタ５とを備え、スライドカバー３をシャーシ２に挿入すると、カウンタ５が第１の弾性部４を圧縮し、第１の弾性部４が変形する。【選択図】図１
2018182124.tif 000002
【特許請求の範囲】
【請求項１】
部品が収容されるシャーシと、前記シャーシを覆うスライドカバーと、ケーブルの導出孔とを有する筐体の防塵構造であって、
前記シャーシに載置され、前記ケーブルを挟持する第１のスリットを有する第１の弾性部と、
前記シャーシに設けられた形状であり、前記第１の弾性部を支持するベースと、
前記スライドカバーに設けられた形状であり、前記第１の弾性部と対向するカウンタとを備え、
前記スライドカバーを前記シャーシに挿入すると、前記カウンタが前記第１の弾性部を圧縮し、前記第１の弾性部が変形することを特徴とする防塵構造。
【請求項２】
前記カウンタは平面部を有し、前記平面部が前記第１のスリットの開口部側に接触し、前記第１の弾性部を面圧縮することを特徴とする請求項１記載の防塵構造。
【請求項３】
前記第１の弾性部は、前記第１のスリットの幅方向両側となる位置に、前記第１のスリットと平行に形成された第２のスリットを有し、
前記カウンタは複数の突部であり、前記複数の突部が前記第２のスリットに進入し、前記第１の弾性部を局部圧縮することを特徴とする請求項１記載の防塵構造。
【請求項４】
前記第１の弾性部は、前記第１のスリットの幅方向両側となる位置に、前記第１のスリットと平行に形成された第２のスリットを有し、
前記カウンタは、平面部および前記平面部に形成された複数の突部を有し、前記平面部が前記第１の弾性部に接触し、前記第１の弾性部を面圧縮するとともに、前記複数の突部が前記第２のスリットに進入し、前記第１の弾性部を局部圧縮することを特徴とする請求項１記載の防塵構造。
【請求項５】
前記第１の弾性部は、前記第１のスリットの幅方向両側となる位置に、前記第１のスリットと平行に形成された第２のスリットを有し、
前記カウンタは平面部を有し、前記平面部が前記第１の弾性部に接触して、前記第１の弾性部を面圧縮するとともに、前記ベースに形成された複数の突部が前記第２のスリットに進入して、前記第１の弾性部を局部圧縮することを特徴とする請求項１記載の防塵構造。
【請求項６】
部品が収容されるシャーシと、前記シャーシを覆うスライドカバーと、ケーブルの導出孔とを有する筐体の防塵構造であって、
前記シャーシに載置され、前記ケーブルを挟持する第１のスリットを有する第１の弾性部と、
前記シャーシに設けられた形状であり、前記第１の弾性部を支持するベースと、
前記スライドカバーに設けられた形状であり、前記第１の弾性部と対向するカウンタと、
前記第１の弾性部と前記カウンタとの間となる位置の前記シャーシに載置され、前記ケーブルを挟持する第１のスリットを有する第２の弾性部とを備え、
前記スライドカバーを前記シャーシに挿入すると、前記カウンタが前記第２の弾性部を圧縮し、前記第１の弾性部および前記第２の弾性部が変形することを特徴とする防塵構造。
【請求項７】
前記第１の弾性部は、前記第１の弾性部における前記第１のスリットの開口部が、前記スライドカバー側となるように載置され、
前記第２の弾性部は、前記第２の弾性部における前記第１のスリットの開口部が、前記シャーシの底面側となるように載置されることを特徴とする請求項６記載の防塵構造。
【請求項８】
前記第１の弾性部における前記第１のスリット、および前記第２の弾性部における前記第１のスリットは、Ｕ字形の切り欠きであることを特徴とする請求項７記載の防塵構造。
【請求項９】
前記第１のスリットは、前記第１のスリットにおける開口部とは反対側の端部に形成された、前記ケーブルの径より小径の丸穴を備えることを特徴とする請求項１から請求項７のうちのいずれか１項記載の防塵構造。
【請求項１０】
前記第１のスリットは、前記第１のスリットにおける開口部とは反対側の端部に形成された、十文字形状の切込みを備えることを特徴とする請求項１から請求項７のうちのいずれか１項記載の防塵構造。
【請求項１１】
前記第１のスリットは、前記第１のスリットにおける開口部とは反対側の端部に形成された、放射状の切込みを備えることを特徴とする請求項１から請求項７のうちのいずれか１項記載の防塵構造。
【請求項１２】
前記第１のスリットは、前記十文字形状の切込みの交点に形成された、前記ケーブルの径より小径の丸穴を備えることを特徴とする請求項１０記載の防塵構造。
【請求項１３】
前記第１のスリットは、前記十文字形状の切込みの各末端に形成された、小径の丸穴を備えることを特徴とする請求項１２記載の防塵構造。
【請求項１４】
請求項１から請求項１３のうちのいずれか１項記載の防塵構造を備えた通信装置。
【発明の詳細な説明】
【技術分野】
【０００１】
この発明は、防塵構造および通信装置に関する。
【背景技術】
【０００２】
ケーブルの接続部を収容するキャビネットには、屋外に設置されるものがある。当該キャビネットでは、ケーブルの導出部に防塵機能が要求される。特許文献１には、ケーブル導出入用の配索孔に、ケーブル防塵カバーを設けたキャビネットが開示されている。当該防塵カバーには、ゴム部品である遮蔽板が用いられる。当該遮蔽板にはコーン状弾性キャップ部材が設けられ、さらに、当該遮蔽板の外側端からコーン状弾性キャップ部材の頂部にわたってスリットが設けられている。
【先行技術文献】
【特許文献】
【０００３】
【特許文献１】特開平１１−２３８６４号公報（［０００６］、［００１４］参照）
【発明の概要】
【発明が解決しようとする課題】
【０００４】
特許文献１には、上記のように構成された防塵カバーを設けることが開示されているが、当該防塵カバーの形状は複雑であるため、生産性および組み付け性の面で問題があった。ケーブルを配線する作業は、仕様の変更等に伴い複数回発生するため、作業を効率化する観点から、簡易な構成で防塵機能を実現することが求められている。
【０００５】
この発明は、上記のような課題を解決するためになされたもので、ケーブルの導出孔を有する筐体の防塵機能を、簡易な構成で実現することを目的とする。
【課題を解決するための手段】
【０００６】
この発明に係る防塵構造は、シャーシに載置され、ケーブルを挟持する第１のスリットを有する第１の弾性部と、シャーシに設けられた形状であり、第１の弾性部を支持するベースと、スライドカバーに設けられた形状であり、第１の弾性部と対向するカウンタとを備え、スライドカバーをシャーシに挿入すると、カウンタが第１の弾性部を圧縮し、第１の弾性部が変形する。
【発明の効果】
【０００７】
この発明によれば、ケーブルの導出孔を有する筐体の防塵機能を、簡易な構成で実現することができる。
【図面の簡単な説明】
【０００８】
【図１】図１Ａおよび図１Ｂは、実施の形態１の通信装置の全体を示す図である。
【図２】図２Ａ、図２Ｂおよび図２Ｃは、防塵構造部の構造を説明するための図である。
【図３】防塵構造部の構造を説明するための別の図である。
【図４】図４Ａおよび図４Ｂは、防塵構造部の防塵機能を説明するための図である。
【図５】弾性部のスリットについて説明する図である。
【図６】実施の形態２の防塵構造部の構造を説明するための図である。
【図７】図７Ａおよび図７Ｂは、防塵構造部の防塵機能を説明するための図である。
【図８】実施の形態３の防塵構造部の構造を説明するための図である。
【図９】図９Ａおよび図９Ｂは、防塵構造部の防塵機能を説明するための図である。
【図１０】実施の形態４の防塵構造部の構造を説明するための図である。
【図１１】図１１Ａおよび図１１Ｂは、防塵構造部の防塵機能を説明するための図である。
【発明を実施するための形態】
【０００９】
以下、この発明をより詳細に説明するため、この発明を実施するための形態について、添付の図面にしたがって説明する。
【００１０】
実施の形態１．
図１Ａおよび図１Ｂは、実施の形態１に係る通信装置の全体を示す図である。通信装置は、例えば、ケーブルを分岐する際等に設置される装置である。実施の形態１に係る通信装置は、筐体１００を備える。筐体１００は、固定カバー１、シャーシ２、およびスライドカバー３により構成される。
【００１１】
固定カバー１、シャーシ２およびスライドカバー３は樹脂で成形される部品である。シャーシ２には、部品が収容される。固定カバー１は、シャーシ２を覆うように、シャーシ２に取り付けられる。スライドカバー３は、シャーシ２を覆うように、シャーシ２に取り付けられる。実施の形態１では、シャーシ２を略正方形とし、固定カバー１およびスライドカバー３をそれぞれ長方形とする。
【００１２】
図１Ｂに示すように、シャーシ２は、底面２１と、底面２１の周縁に立設された側部２２とを有する受け皿状の部品である。また、シャーシ２の底面２１には、仕切り部２５が
立設される。
【００１３】
また、図１Ｂに示すように、固定カバー１およびシャーシ２は、エリアＡを形成する。また、スライドカバー３およびシャーシ２は、エリアＢを形成する。エリアＡには、基板（不図示）またはその他の内装部品（不図示）が実装される。エリアＢには、第１のコネクタ部１０、および防塵構造部１２ａが形成される。
【００１４】
第１のコネクタ部１０は、シャーシ２の仕切り部２５に設けられる。第１のコネクタ部１０は、エリアＡからエリアＢに向かう方向に突出する。第１のコネクタ部１０は、例えば、メスコネクタである。第１のコネクタ部１０は、エリアＡの内部に実装された基板、またはエリアＡの内部に実装されたその他の内装部品と、電気的に接続される。
【００１５】
ケーブル８（不図示）の端部には、第２のコネクタ部１１（不図示）が設けられている。第２のコネクタ部１１は、例えば、オスコネクタである。第２のコネクタ部１１は、第１のコネクタ部１０に嵌合する。
【００１６】
図１Ｂに示すように、シャーシ２における、相対する側部２２のそれぞれの上部に、スライド部２３が形成される。スライドカバー３は、スライド部２３上をスライド可能に形成されている。スライドカバー３をシャーシ２に取り付ける際は、エリアＢからエリアＡに向かう方向（図１Ｂに示す矢印Ｃの方向）にスライドさせる。スライドカバー３をシャーシ２から取り外す際は、エリアＡからエリアＢに向かう方向に（図１Ｂに示す矢印Ｄの方向）にスライドさせる。以下、図１Ｂに示す矢印Ｃの方向を、カバー挿入方向Ｃという。
【００１７】
図１Ａに示すように、シャーシ２およびスライドカバー３は、ケーブル８（不図示）の導出孔３０を形成する。導出孔３０は、ケーブル８の導入孔でもある。シャーシ２の側部２２には、Ｕ字形の切り欠き部２４が複数形成されている。スライドカバー３をシャーシ２に挿入すると、切り欠き部２４の開口が、スライドカバー３の端部によって塞がれる。これにより、導出孔３０が形成される。ケーブル８は、導出孔３０を介して筐体１００から導出される。ケーブル８は、導出孔３０を介して筐体１００に導入される。以下、図１Ｂに示す矢印Ｄの方向を、ケーブル導出方向Ｄという。
【００１８】
通信装置を構成する筐体１００は、屋外の環境等に設置される。筐体１００は、設置後に、ケーブル８の付け替え、ケーブル８の増設、およびケーブル８の点検等の作業が発生する可能性がある。当該作業が必要となった場合、作業者はスライドカバー３を取り外し、エリアＢにて作業を行う。なお、筐体１００の設置後にエリアＡでの作業は発生しない。そのため、エリアＡは、固定カバー１とシャーシ２とにより密閉されている。
【００１９】
図２Ａ、図２Ｂおよび図２Ｃは、防塵構造部１２ａの構造を説明するための図である。
防塵構造部１２ａは筐体１００の防塵機能を実現する。防塵構造部１２ａは、第１の弾性部４、カウンタ５、およびベース６を備える。防塵構造部１２ａは、ケーブル導出方向Ｄにおいて、第１のコネクタ部１０と導出孔３０との間となる位置に形成される。
【００２０】
図２Ａに示すように、スライドカバー３はカウンタ５を有する。カウンタ５は、スライドカバー３の裏面に形成される形状である。スライドカバー３の裏面とは、シャーシ２に挿入された際に、シャーシ２の底面２１と対向する面である。実施の形態１では、スライドカバー３の裏面に立設される１つの壁部をカウンタ５とする。当該壁部は平面部５ａを有する。平面部５ａは、カバー挿入方向Ｃと垂直になるように形成される。カウンタ５は、後述する第１の弾性部４と対向する。
【００２１】
図２Ｂおよび図２Ｃに示すように、シャーシ２はベース６を有する。ベース６は、シャーシ２の底面２１に形成される形状である。ベース６は、底面２１に立設される１つの壁部であり、平面部６ａを有する。平面部６ａは、ケーブル導出方向Ｄと垂直になるように形成される。ベース６は、後述する第１の弾性部４を支持する。
【００２２】
第１の弾性部４は、シャーシ２の底面２１に載置される。第１の弾性部４は、ベース６に支持される。第１の弾性部４は、ケーブル導出方向Ｄにおいて、ベース６と導出孔３０との間となる位置に載置される。第１の弾性部４は、圧縮されると変形する部材で構成される。第１の弾性部４は、スポンジまたはゴム等である。第１の弾性部４は、後述する第１のスリット４１を有する。
【００２３】
図２Ｃに示すように、スライドカバー３をシャーシ２に挿入すると、カウンタ５が第１の弾性部４に面接触する。第１の弾性部４は、カウンタ５により面圧縮されて変形する。
【００２４】
図３は、防塵構造部１２ａの構造を説明するための別の図である。
第１の弾性部４は、ケーブル８を固定する機能、および筐体１００の防塵機能を担う。図３に示すように、第１の弾性部４は第１のスリット４１を有する。第１のスリット４１は、第１の弾性部４に設けられた切込みである。第１のスリット４１は、一端が開口している。以下、当該開口している部分を、第１のスリット４１の開口部という。作業者は、ケーブル８を第１のスリット４１に挿入する。第１のスリット４１は、ケーブル８を挟持する。第１のスリット４１における開口部とは反対側の端部は、ケーブル８を挟持して固定する。
【００２５】
第１の弾性部４は、第１のスリット４１の開口部がスライドカバー３側となるように、シャーシ２に載置される。第１の弾性部４は、第１のスリット４１の切込みの方向（図３に示す矢印Ｓの方向）が底面２１と垂直となり、かつ、第１のスリット４１の幅方向（図３に示す矢印Ｔの方向）がケーブル導出方向Ｄと垂直になるように、シャーシ２に載置される。
図３に示すように、第１のスリット４１と対向する位置のベース６には、Ｕ字形の切り欠き部６ｂが複数形成される。複数の切り欠き部６ｂは、第１のスリット４１が挟持するケーブル８を挿通するために設けられている。
【００２６】
図４Ａおよび図４Ｂは、防塵構造部１２ａの防塵機能を説明するための図である。図４Ａは、カウンタ５が第１の弾性部４に接触する前の状態を示す図である。図４Ｂは、カウンタ５が第１の弾性部４に接触した後の状態を示す図である。図４Ｂに示すように、カウンタ５は、第１のスリット４１の開口部側に面接触する。カウンタ５は、第１の弾性部４を面圧縮する。
【００２７】
第１の弾性部４は、カウンタ５により面圧縮されると、カバー挿入方向Ｃに対して収縮する変形をする。また、第１の弾性部４は、カウンタ５により面圧縮されると、ケーブル８の径の中心に向かう方向（図４Ｂに示す矢印Ｅの方向）に膨張する変形をする。これにより、ケーブル８の径方向周囲には第１の弾性部４が密着し、ケーブル８の径方向周囲が第１の弾性部４によって封止される。
【００２８】
図５は、第１の弾性部４の第１のスリット４１について説明する図である。図５では、第１のスリット４１の変形例として、第１のスリット４１ａ〜４１ｅを示す。
【００２９】
第１のスリット４１ａは、ケーブル８の径よりも小径の丸穴を、第１のスリット４１における開口部とは反対側の端部に設けたものである。当該丸穴を設けることで、ケーブル８の固定位置が安定する。
【００３０】
第１のスリット４１ｂは、十文字形状の切込みを、第１のスリット４１における開口部とは反対側の端部に設けたものである。当該十文字形状の切込みを設けることで、ケーブル８の固定位置が安定する。
【００３１】
第１のスリット４１ｃは、放射状の切込みを、第１のスリット４１における開口部とは反対側の端部に設けたものである。当該放射状の切込みを設けることで、ケーブル８の固定位置が安定する。
【００３２】
第１のスリット４１ｄは、第１のスリット４１ａと第１のスリット４１ｂとを組み合せたものである。第１のスリット４１における開口部とは反対側の端部において、ケーブル８と第１の弾性部４との接触面積が増加する。このため、ケーブル８を第１の弾性部４に挿入した際における、第１の弾性部４の変形のばらつきを抑えることができる。
【００３３】
第１のスリット４１ｅは、第１のスリット４１ｄにおいて、十文字形状の切込みの各末端に、小径の丸穴を設けたものである。これにより、ケーブル８を第１の弾性部４に挿入した際に、十文字形状の切込みの各末端が割けるのを防止することができる。
【００３４】
以上のように、実施の形態１に係る防塵構造は、シャーシ２に載置され、ケーブル８を挟持する第１のスリット４１を有する第１の弾性部４と、シャーシ２に設けられた形状であり、第１の弾性部４を支持するベース６と、スライドカバー３に設けられた形状であり、第１の弾性部４と対向するカウンタ５とを備え、スライドカバー３をシャーシ２に挿入すると、カウンタ５が第１の弾性部４を圧縮し、第１の弾性部４が変形する。このため、ケーブル８の導出孔３０を有する筐体１００の防塵機能を、簡易な構成で実現することができる。
【００３５】
実施の形態１の防塵構造は、ケーブル８を第１のスリット４１に挿入し、第１の弾性部４を圧縮して変形させる構造である。このため、ケーブル８の径を変更する場合であっても、同じ部品で対応することができる。また、径の異なる様々なケーブル８について、当該ケーブル８の径方向周囲を封止することができる。
【００３６】
実施の形態１の防塵構造は、スライドカバー３が挿入されると、第１の弾性部４が圧縮される構造である。このため、従来の作業に比べ、作業の工程を増やすことなく防塵機能を実現することができる。
【００３７】
実施の形態１の防塵構造は、カウンタ５およびベース６の形状を単純な形状としている。当該形状は、シャーシ２およびスライドカバー３の成形金型に掘り込みを追加するのみで実現できる。そのため、特殊な構造の成形金型を用いる必要がない。また、成形金型に部品を追加する必要がない。よって、製造費用を抑えることができる。
【００３８】
実施の形態１の防塵構造によれば、第１の弾性部４は、シート状の弾性部から型抜きすることで製造可能である。よって、成形金型を設ける必要がなく、製造費用を抑えることができる。
【００３９】
実施の形態１の防塵構造は、簡易な構成であるため作業が容易である。よって、作業の安全性を確保することができる。
【００４０】
実施の形態２．
実施の形態１では、スライドカバー３のカウンタ５が、第１の弾性部４を面圧縮する構成について説明した。実施の形態２では、スライドカバー３のカウンタ５が、第１の弾性部４を局部圧縮する構成について説明する。実施の形態２に係る筐体１００は、防塵構造部１２ｂを有する。以下、実施の形態１で説明した構成と同一または相当する機能を有する構成については、同一の符号を付し、その説明を省略または簡略化する。
【００４１】
図６は、防塵構造部１２ｂの構造を説明するための図である。実施の形態２では、カウンタ５を、スライドカバー３の裏面に立設される複数の突部５ｂとする。突部５ｂは、カバー挿入方向Ｃに向かって先端の尖った、三角錐状の形状である。突部５ｂは、カバー挿入方向Ｃと垂直な方向に、所定の間隔で複数形成される。突部５ｂは、先端側から根元側に向かうにつれて断面積が大きくなる。
【００４２】
第１のスリット４１は、図５に示した第１のスリット４１ａ〜４１ｅのうちの任意のものとすることができる。
【００４３】
図７Ａおよび図７Ｂは、防塵構造部１２ｂの防塵機能を説明するための図である。図７Ａは、カウンタ５が第１の弾性部４に接触する前の状態を示す図である。第１の弾性部４は、第１のスリット４１ｂの幅方向両側となる位置に、第２のスリット４２を有する。第２のスリット４２は、第１のスリット４１ｂの切込み方向と平行に形成される切込みである。第２のスリット４２は、突部５ｂを誘い込む溝である。第２のスリット４２と突部５ｂとは対向する。
【００４４】
図７Ｂは、カウンタ５が第１の弾性部４に接触した後の状態を示す図である。図７Ｂに示すように、スライドカバー３をシャーシ２に挿入すると、突部５ｂが第２のスリット４２内に進入する。突部５ｂは第１の弾性部４を局部圧縮する。
【００４５】
第２のスリット４２内における突部５ｂの断面積は、第２のスリット４２に対する突部５ｂの進入量に比例して増加する。第１の弾性部４は、突部５ｂにより局部圧縮されると、第２のスリット４２の幅が広がる方向（図７Ｂに示す矢印Ｆの方向）に変形する。第１の弾性部４は、第１のスリット４１ｂ側に向かって圧縮される。これにより、図７Ｂに示すように、ケーブル８の径方向周囲には第１の弾性部４が密着し、ケーブル８の径方向周囲が第１の弾性部４によって封止される。
【００４６】
以上のように、実施の形態２に係る防塵構造によれば、ケーブル８の導出孔３０を有する筐体１００の防塵機能を、簡易な構成で実現することができる。また、径の異なる様々なケーブル８について、当該ケーブル８の径方向周囲を封止することができる。
【００４７】
実施の形態３．
実施の形態１では、スライドカバー３のカウンタ５が、第１の弾性部４を面圧縮する構成について説明した。実施の形態２では、スライドカバー３のカウンタ５が、第１の弾性部４を局部圧縮する構成について説明した。実施の形態３では、スライドカバー３のカウンタ５が、第１の弾性部４を面圧縮し、かつ第１の弾性部４を局部圧縮する構成について説明する。実施の形態３に係る筐体１００は、防塵構造部１２ｃを有する。以下、実施の形態１および実施の形態２で説明した構成と同一または相当する機能を有する構成については、同一の符号を付し、その説明を省略または簡略化する。
【００４８】
図８は、防塵構造部１２ｃの構造を説明するための図である。実施の形態３では、カウンタ５は、スライドカバー３の裏面に立設される１つの壁部と、当該壁部に形成される複数の突部とにより構成される。当該１つの壁部は、平面部５ｃを有する。平面部５ｃは、カバー挿入方向Ｃと垂直になるように形成される。図８に示すように、平面部５ｃは、ケーブル８を導出するための複数の切り欠き部５ｄを有する。切り欠き部５ｄはＵ字形であり、開口を有する。各切り欠き部５ｄの両端となる位置の平面部５ｃには、複数の突部５ｅが形成される。突部５ｅは、カバー挿入方向Ｃに向かって突出する形状である。
【００４９】
第１のスリット４１は、図５に示した第１のスリット４１ａ〜４１ｅのうちの任意のものとすることができる。
【００５０】
図９Ａおよび図９Ｂは、防塵構造部１２ｃの防塵機能を説明するための図である。図９Ａは、カウンタ５が第１の弾性部４に接触する前の状態を示す図である。実施の形態２と同様に、第１の弾性部４は第２のスリット４２を有する。第２のスリット４２と突部５ｅとは対向する。図９Ｂは、カウンタ５が第１の弾性部４に接触した後の状態を示す図である。図９Ｂに示すように、スライドカバー３をシャーシ２に挿入すると、突部５ｅが第２のスリット４２内に進入する。突部５ｅは、第１の弾性部４を局部圧縮する。また、平面部５ｃは、第１の弾性部４を面圧縮する。
【００５１】
第１の弾性部４は、カウンタ５により局部圧縮および面圧縮される。第１の弾性部４は、第２のスリット４２の幅が広がる方向に変形する。第１の弾性部４は、第１のスリット４１ｂ側に向かって圧縮される。第１の弾性部４は、ケーブル８の径の中心に向かう方向に変形する。これにより、図９Ｂに示すように、ケーブル８の径方向周囲に第１の弾性部４が密着し、ケーブル８の径方向周囲が第１の弾性部４によって封止される。
【００５２】
上記では、第１の弾性部４を局部圧縮する複数の突部５ｅをカウンタ５に設ける場合について説明した。ただし、これに限定されるものではなく、複数の突部５ｅに相当する形状をベース６に設けてもよい。その場合、ベース６に形成された複数の突部６ｃ（不図示）が、第１の弾性部４における第２のスリット４２内に進入する。
【００５３】
以上のように、実施の形態３に係る防塵構造によれば、第１の弾性部４が局部圧縮および面圧縮されるため、ケーブル８の導出孔３０を有する筐体１００の防塵機能をさらに向上させることができる。また、径の異なる様々なケーブル８について、当該ケーブル８の径方向周囲を封止することができる。
【００５４】
実施の形態４．
実施の形態１では、スライドカバー３のカウンタ５が、第１の弾性部４を面圧縮する構成について説明した。実施の形態４では、第１の弾性部４および第２の弾性部７を用いて防塵機能を実現する構成について説明する。実施の形態４に係る筐体１００は、防塵構造部１２ｄを有する。以下、実施の形態１〜３で説明した構成と同一または相当する機能を有する構成については、同一の符号を付し、その説明を省略または簡略化する。
【００５５】
図１０は、防塵構造部１２ｄの構造を説明するための図である。実施の形態４では、カウンタ５を、実施の形態３で示した平面部５ｃおよび切り欠き部５ｄを有する壁部とする。
図１０に示すように、第２の弾性部７は第１の弾性部４と隣接するように、シャーシ２に載置される。第２の弾性部７は、ケーブル導出方向Ｄにおいて、導出孔３０と第１の弾性部４との間となる位置に載置される。
【００５６】
図１１Ａおよび図１１Ｂは、防塵構造部１２ｄの防塵機能を説明するための図である。図１１Ａは、カウンタ５が第２の弾性部７に接触する前の状態を示す図である。図１１Ａに示すように、第１の弾性部４は、ケーブル８を挟持する第１のスリット４１ｆを有する。第１のスリット４１ｆは、第１のスリット４１に比べてスリット幅の広い、Ｕ字形の切り欠きである。また、第２の弾性部７は、ケーブル８を挟持する第１のスリット７１を有する。第１のスリット７１は、第１のスリット４３ｆと同様の形状である。
【００５７】
第１の弾性部４は、第１のスリット４１ｆの開口部がスライドカバー３側となるように、シャーシ２に載置される。一方、第２の弾性部７は、第１のスリット７１の開口部がシャーシ２の底面２１側となるように、シャーシ２に載置される。第１のスリット４１ｆと第１のスリット７１とは上下対象の位置関係となる。
【００５８】
作業者は、ケーブル８を、第１の弾性部４に設けられた第１のスリット４１ｆに挿入する。次に、作業者は、第２の弾性部７に設けられた第１のスリット７１にケーブル８が挿入されるようにして、第２の弾性部７をシャーシ２内に載置する。
第１のスリット４１ｆおよび第１のスリット７１は、スリット幅が広いため、ケーブル８の挿抜作業が容易である。
【００５９】
図１１Ｂは、カウンタ５が第２の弾性部７に接触した後の状態を示す図である。スライドカバー３をシャーシ２に挿入すると、カウンタ５の平面部５ｃが、第２の弾性部７を面圧縮する。このとき、第２の弾性部７が面圧縮され、さらに第１の弾性部４が面圧縮される。
【００６０】
第２の弾性部７は、面圧縮されると、第１のスリット７１の幅方向中心に向かう方向に変形する。第１の弾性部４は、面圧縮されると、第１のスリット４１ｆの幅方向中心に向かう方向に変形する。また、第１の弾性部４および第２の弾性部７は、ケーブル８の径の中心に向かう方向に変形する。これにより、図１１Ｂに示すように、ケーブル８の径方向周囲に第１の弾性部４および第２の弾性部７が密着し、ケーブル８の径方向周囲が第１の弾性部４および第２の弾性部７によって封止される。
【００６１】
第１の弾性部４の第１のスリット４１ｆをＵ字形とし、開口部のスリット幅を広くしているため、第１の弾性部４の圧縮変形のみでは、ケーブル８の周囲の封止が不十分となるおそれがある。そこで、第１のスリット７１が、第１のスリット４１ｆと上下対象となるようにして、第２の弾性部７をシャーシ２に載置し、第１の弾性部４および第２の弾性部７の両方を圧縮変形させることで、ケーブル８の周囲を封止している。
【００６２】
以上のように、実施の形態４に係る防塵構造によれば、ケーブル８の挿抜作業を容易としつつ、ケーブル８の導出孔３０を有する筐体１００の防塵機能を実現することができる。また、径の異なる様々なケーブル８について、当該ケーブル８の径方向周囲を封止することができる。
【００６３】
上記では、第１のスリット４１ｆおよび第１のスリット７１をＵ字形として、開口部のスリット幅を広くする場合について説明した。ただし、これに限定されるものではなく、第１のスリット４１ｆおよび第１のスリット７１を、第１のスリット４１のように切込み形のスリットとしてもよい。その場合、第１のスリット４１ｆおよび第１のスリット７１は、図５に示した第１のスリット４１ａ〜４１ｅのように変形することができる。
【００６４】
なお、本発明はその発明の範囲内において、各実施の形態の自由な組み合わせ、あるいは各実施の形態の任意の構成要素の変形、もしくは実施の形態において任意の構成要素の省略が可能である。
【符号の説明】
【００６５】
１  固定カバー、２  シャーシ、３  スライドカバー、４  第１の弾性部、５  カウンタ、５ａ，５ｃ  平面部、５ｂ，５ｅ  突部、５ｄ  切り欠き部、６  ベース、６ａ  平面部、６ｂ  切り欠き部、６ｃ  突部、７  第２の弾性部、８  ケーブル、１０  第１のコネクタ部、１１  第２のコネクタ部、２１  底面、２２  側部、２３  スライド部、２４  切り欠き部、２５  仕切り部、３０  導出孔、４１，４１ａ，４１ｂ，４１ｃ，４１ｄ，４１ｅ，４１ｆ，７１  第１のスリット、４２  第２のスリット、１００  筐体。
【図１】
2018182124.tif 000003
【図２】
2018182124.tif 000004
【図３】
2018182124.tif 000005
【図４】
2018182124.tif 000006
【図５】
2018182124.tif 000007
【図６】
2018182124.tif 000008
【図７】
2018182124.tif 000009
【図８】
2018182124.tif 000010
【図９】
2018182124.tif 000011
【図１０】
2018182124.tif 000012
【図１１】
2018182124.tif 000013